(57)【要約】【課題】  複数の画像生成装置と、無線通信装置とが有線で接続され、当該無線通信装置と、画像供給装置とが無線で接続されたネットワークにおいて、画像供給装置が、当該ネットワークとの接続を維持しつつ、所望の画像供給装置に当該画像供給装置からの画像情報に基づく画像を生成させる際に、より容易に所望の画像生成装置を決定することが可能なプロジェクター等を提供すること。【解決手段】  プロジェクター１００が、無線通信用のアクセスポイント機能を有する無線通信部１１０と、有線通信を行う有線通信部１３０と、無線通信部１１０に対し、アクセスポイント機能を用いて当該プロジェクター１００の識別情報を無線で送信させる制御部１５０と、別情報を受信した画像供給装置から無線通信装置を介して送信され、有線通信部１３０によって受信される画像情報に基づき、画像を生成する画像生成部１６０を含んで構成される。【選択図】  図２
2012191411.tif 000002
【特許請求の範囲】
【請求項１】
複数の画像生成装置と、無線通信装置とが有線で接続され、前記無線通信装置と、画像供給装置とが無線で接続されたネットワークで使用される前記画像生成装置であって、
無線通信用のアクセスポイント機能を有する生成側無線通信部と、
有線通信を行う有線通信部と、
前記無線通信部に対し、前記アクセスポイント機能を用いて当該画像生成装置の識別情報を無線で送信させる生成側制御部と、
前記識別情報を受信した前記画像供給装置から前記無線通信装置を介して送信され、前記有線通信部によって受信される画像情報に基づき、画像を生成する生成側画像生成部と、
を含む画像生成装置。
【請求項２】
請求項１に記載の画像生成装置において、
前記識別情報は、前記画像生成装置の識別名を含むＳＳＩＤを示す情報であって、
前記生成側制御部は、前記画像供給装置から前記無線通信装置を介して送信され、前記有線通信部によって受信される通知要求情報に応じて、前記無線通信部に前記識別情報を無線で送信させる、
画像生成装置。
【請求項３】
請求項２に記載の画像生成装置において、
前記生成側制御部は、前記ＳＳＩＤに、前記有線通信部に割り当てられたＩＰアドレスを含めた状態で、前記無線通信部に前記識別情報を無線で送信させる、
画像生成装置。
【請求項４】
請求項１〜３のいずれか１項に記載の前記画像生成装置と、
前記生成側画像生成部によって生成された画像を投写する投写部と、
を含むプロジェクター。
【請求項５】
請求項１〜３のいずれか１項に記載の前記無線通信装置を介して、請求項１〜３のいずれか１項に記載の前記画像生成装置と無線通信を行う供給側無線通信部と、
前記供給側無線通信部による前記識別情報の受信状況に応じて、前記識別情報に基づく前記複数の画像生成装置と、前記受信状況とを示す一覧画像を生成する供給側画像生成部と、
前記一覧画像を表示する表示部と、
前記一覧画像が表示された状態で、前記画像情報の送信対象となる前記画像生成装置の選択指示を受け付ける受付部と、
前記供給側無線通信部に対し、前記無線通信装置を介して、前記受付部によって受け付けられた前記選択指示で示される前記画像生成装置へ向け前記画像情報を送信させる制御を行う供給側制御部と、
を含む画像供給装置。
【請求項６】
請求項１〜３のいずれか１項に記載の前記無線通信装置を介して、請求項１〜３のいずれか１項に記載の前記画像生成装置と無線通信を行う供給側無線通信部と、
前記供給側無線通信部による前記識別情報の受信状況に応じて、前記画像情報の送信対象となる前記画像生成装置を決定する決定部と、
前記供給側無線通信部に対し、前記無線通信装置を介して、前記決定部によって決定された前記画像生成装置へ向け前記画像情報を送信させる制御を行う供給側制御部と、
を含む画像供給装置。
【請求項７】
請求項１〜３のいずれか１項に記載の前記画像生成装置と、請求項５または請求項６に記載の前記画像供給装置とを含む画像生成システム。
【請求項８】
複数の画像生成装置と、無線通信装置とが有線で接続され、前記無線通信装置と、画像供給装置とが無線で接続されたネットワークで使用され、無線通信用のアクセスポイント機能を有する無線通信部と、有線通信を行う有線通信部とを含む前記画像生成装置が、
前記無線通信部に対し、前記アクセスポイント機能を用いて当該画像生成装置の識別情報を送信させ、
前記識別情報を受信した前記画像供給装置から前記無線通信装置を介して送信され、前記有線通信部によって受信される画像情報に基づき、画像を生成する、
画像生成方法。
【発明の詳細な説明】
【技術分野】
【０００１】
本発明は、画像生成装置、プロジェクター、画像供給装置、画像生成システムおよび画像生成方法に関する。
【背景技術】
【０００２】
近年、無線通信対応のプロジェクターが提供されている。無線通信のネットワークには、主にアドホックネットワークとインフラストラクチャーネットワークがある。アドホックネットワークは、それぞれの無線通信装置が直接接続を行う小規模なネットワークである。一方、インフラストラクチャーネットワークは、アクセスポイントという無線通信装置に、それぞれの無線通信装置が接続を行い、アクセスポイント間をネットワークで結ぶことにより、大規模な構成が可能なネットワークである。
【０００３】
このような大規模な構成が可能なネットワークとして、企業や学校等において、プロジェクター、アクセスポイント、画像供給装置が有線通信と無線通信を行うネットワークシステムが実現されている。上記ネットワークシステムにおいて、画像供給装置が、通信可能な複数のプロジェクターから特定した１台以上のプロジェクターに接続して画像を投写することが必要になる場合がある。しかし、この場合、ユーザーが、所望のプロジェクターを選択しようとしても、選択対象のプロジェクターが多すぎて選択に困ることがある。アドホックネットワークでは、無線到達範囲が限定されているため、近接したプロジェクターを容易に判別可能であり、近接したプロジェクターを簡易に検索して接続することが可能である。
【先行技術文献】
【特許文献】
【０００４】
【特許文献１】特開２０１０−２０４１１号公報
【発明の概要】
【発明が解決しようとする課題】
【０００５】
しかし、インフラストラクチャーネットワークでは、そのネットワーク上を伝送されるプロトコルを用いて近接しているかどうかの判別がまったく行えないため、近接したプロジェクターを容易に選択することはできず、事前に登録したプロジェクター全体のリストを表示することしかできなかった。例えば、特開２０１０−２０４１１号公報では、有線ネットワークにおいて、プロジェクターが識別画像を投写し、当該識別画像に対応した画像を画像供給装置も表示することによって接続対象を容易にする手法が記載されているが、当該手法は、事前に識別画像を準備する必要があるため、構成が変わりやすい無線ネットワークに適用することは適切でない上、プリンター等の画像表示機能を有しない装置に適用することはできない。
【０００６】
さらに、アドホックネットワークを構成しているプロジェクター等に、画像供給装置が無線で接続すると、当該プロジェクター等と当該画像供給装置との間で既存のネットワークとは異なる無線ネットワークが構築されてしまい、当該画像供給装置が、既存のネットワークと通信できない状態になってしまう。
【０００７】
本発明にかかるいくつかの態様は、上記課題を解決することにより、複数の画像生成装置と、無線通信装置とが有線で接続され、前記無線通信装置と、画像供給装置とが無線で接続されたネットワークにおいて、画像供給装置が、当該ネットワークとの接続を維持しつつ、所望の画像供給装置に当該画像供給装置からの画像情報に基づく画像を生成させる際に、より容易に所望の画像生成装置を決定することが可能な画像生成装置、プロジェクター、画像供給装置、画像生成システムおよび画像生成方法を提供するものである。
【課題を解決するための手段】
【０００８】
本発明の態様の１つである画像生成装置は、複数の画像生成装置と、無線通信装置とが有線で接続され、当該無線通信装置と、画像供給装置とが無線で接続されたネットワークで使用される前記画像生成装置であって、無線通信用のアクセスポイント機能を有する生成側無線通信部と、有線通信を行う有線通信部と、前記無線通信部に対し、前記アクセスポイント機能を用いて当該画像生成装置の識別情報を無線で送信させる生成側制御部と、前記識別情報を受信した前記画像供給装置から前記無線通信装置を介して送信され、前記有線通信部によって受信される画像情報に基づき、画像を生成する生成側画像生成部と、を含むことを特徴とする。
【０００９】
また、本発明の態様の１つである画像生成方法は、複数の画像生成装置と、無線通信装置とが有線で接続され、前記無線通信装置と、画像供給装置とが無線で接続されたネットワークで使用され、無線通信用のアクセスポイント機能を有する無線通信部と、有線通信を行う有線通信部とを含む前記画像生成装置が、前記無線通信部に対し、前記アクセスポイント機能を用いて当該画像生成装置の識別情報を送信させ、前記識別情報を受信した前記画像供給装置から前記無線通信装置を介して送信され、前記有線通信部によって受信される画像情報に基づき、画像を生成することを特徴とする。
【００１０】
本発明によれば、画像生成装置は、画像生成装置の識別情報を送信することにより、画像供給装置に当該画像生成装置を識別しやすくさせることができる上、画像供給装置に画像生成装置ごとの識別情報の受信状況を把握させることができる。さらに、当該画像生成装置は、無線で直接画像供給装置と接続せず、無線通信装置を介して画像供給装置と接続することができる。これにより、画像供給装置は、複数の画像生成装置と、無線通信装置とが有線で接続され、当該無線通信装置と、画像供給装置とが無線で接続されたネットワークにおいて、当該ネットワークとの接続を維持しつつ、所望の画像生成装置に当該画像供給装置からの画像情報に基づく画像を生成させる際に、より容易に所望の画像生成装置を決定することができる。
【００１１】
また、前記識別情報は、前記画像生成装置の識別名を含むＳＳＩＤを示す情報であって、前記生成側制御部は、前記画像供給装置から前記無線通信装置を介して送信され、前記有線通信部によって受信される通知要求情報に応じて、前記無線通信部に前記識別情報を無線で送信させてもよい。これによれば、画像供給装置は、画像生成装置の識別名を把握することができるため、より容易に所望の画像生成装置を決定することができる。
【００１２】
また、前記生成側制御部は、前記ＳＳＩＤに、前記有線通信部に割り当てられたＩＰアドレスを含めた状態で、前記無線通信部に前記識別情報を無線で送信させてもよい。これによれば、画像供給装置は、画像生成装置のＩＰアドレスを把握することができるため、より容易に所望の画像生成装置を決定することができる。
【００１３】
また、本発明の態様の１つであるプロジェクターは、前記画像生成装置と、前記生成側画像生成部によって生成された画像を投写する投写部と、を含むことを特徴とする。
【００１４】
また、本発明の態様の１つである画像供給装置は、前記無線通信装置を介して、前記画像生成装置と無線通信を行う供給側無線通信部と、前記供給側無線通信部による前記識別情報の受信状況に応じて、前記識別情報に基づく前記複数の画像生成装置と、前記受信状況とを示す一覧画像を生成する供給側画像生成部と、前記一覧画像を表示する表示部と、前記一覧画像が表示された状態で、前記画像情報の送信対象となる前記画像生成装置の選択指示を受け付ける受付部と、前記供給側無線通信部に対し、前記無線通信装置を介して、前記受付部によって受け付けられた前記選択指示で示される前記画像生成装置へ向け前記画像情報を送信させる制御を行う供給側制御部と、を含むことを特徴とする。
【００１５】
また、本発明の態様の１つである画像供給装置は、前記無線通信装置を介して、前記画像生成装置と無線通信を行う供給側無線通信部と、前記供給側無線通信部による前記識別情報の受信状況に応じて、前記画像情報の送信対象となる前記画像生成装置を決定する決定部と、前記供給側無線通信部に対し、前記無線通信装置を介して、前記決定部によって決定された前記画像生成装置へ向け前記画像情報を送信させる制御を行う供給側制御部と、を含むことを特徴とする。
【００１６】
また、本発明の態様の１つである画像生成システムは、前記画像生成装置と、前記画像供給装置とを含むことを特徴とする。
【００１７】
本発明によれば、画像生成装置等は、画像生成装置の識別情報を無線で送信することにより、画像供給装置に当該画像生成装置を識別しやすくさせることができる上、画像供給装置に画像生成装置ごとの識別情報の受信状況を把握させることができる。さらに、当該画像生成装置は、無線で直接画像供給装置と接続せず、無線通信装置を介して画像供給装置と接続することができる。これにより、画像供給装置は、複数の画像生成装置と、無線通信装置とが有線で接続され、当該無線通信装置と、画像供給装置とが無線で接続されたネットワークにおいて、当該ネットワークとの接続を維持しつつ、所望の画像生成装置に当該画像供給装置からの画像情報に基づく画像を生成させる際に、より容易に所望の画像生成装置を決定することができる。
【図面の簡単な説明】
【００１８】
【図１】第１の実施例における画像生成システムの概略図である。
【図２】第１の実施例におけるプロジェクターの機能ブロック図である。
【図３】第１の実施例におけるプロジェクターのハードウェアブロック図である。
【図４】第１の実施例におけるＰＣの機能ブロック図である。
【図５】第１の実施例におけるＰＣとプロジェクターでの処理手順を示すフローチャートである。
【図６】第１の実施例におけるスキャンリストの一例を示す図である。
【図７】第１の実施例における一覧画像の一例を示す図である。
【図８】第２の実施例における画像生成システムの概略図である。
【図９】第２の実施例におけるプロジェクターの機能ブロック図である。
【図１０】第２の実施例におけるＰＣとプロジェクターでの処理手順を示すフローチャートである。
【図１１】第２の実施例における一覧画像の一例を示す図である。
【図１２】第２の実施例におけるＰＣの機能ブロック図である。
【発明を実施するための形態】
【００１９】
以下、本発明をプロジェクター等に適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２０】
（第１の実施例）
図１は、第１の実施例における画像生成システムの概略図である。画像生成システムは、ハブ３２０を介してアクセスポイント３００と有線（例えば、ＬＡＮケーブル等）で接続され、無線通信用のアクセスポイント機能を有する３台のプロジェクター１００−１〜１００−３と、無線通信機能を有するノート型のＰＣ（Personal Computer）２００を含んで構成されている。一般的に、ＰＣ２００は可搬性が要求されるため、無線で企業内ネットワークに接続される。これに対し、プロジェクター１００は設置されて用いられることが多く、有線で企業内ネットワークに接続されることが多い。なお、４台以上のプロジェクター１００、複数のハブ３２０、複数のアクセスポイント３００が存在してもよい。
【００２１】
各プロジェクター１００は、ＰＣ２００からの要求に応じて、自分自身のプロジェクター名とＩＰアドレスを、企業内ネットワークを介してＰＣ２００に応答することも可能であるが、ＰＣ２００は、これらの情報のみでは、各プロジェクター１００との物理的な距離を把握することができないため、ユーザーは、多数のプロジェクター１００が存在すると、所望のプロジェクター１００を選択することが困難になる。
【００２２】
そこで、本実施例の各プロジェクター１００は、内蔵された無線通信用のアクセスポイント機能を使用してＳＳＩＤ（Service Set Identifier）を示す識別情報を、アクセスポイント３００を介さずにブロードキャスト送信し、ＰＣ２００は、当該識別情報に基づき、アクセスポイント３００を介して所望のプロジェクター１００に接続し、当該プロジェクター１００に、ＰＣ２００からの画像情報に基づく画像２０をスクリーン１０等に投写させる。次に、このような機能を有するプロジェクター１００およびＰＣ２００の機能ブロック図等について説明する。
【００２３】
図２は、第１の実施例におけるプロジェクター１００の機能ブロック図である。プロジェクター１００は、画像２０を生成する画像生成装置１０２と、画像２０をスクリーン１０に投写する投写部１９０を含んで構成されている。また、画像生成装置１０２は、無線通信用のアクセスポイント機能を有する生成側無線通信部である無線通信部１１０と、記憶部１２０と、有線通信を行う有線通信部１３０と、生成側制御部である制御部１５０と、生成側画像生成部である画像生成部１６０を含んで構成されている。また、記憶部１２０は、画像情報１２２、プロジェクター１００自身のＳＳＩＤを示す識別データ１２４等を記憶している。
【００２４】
また、プロジェクター１００は、以下のハードウェアを用いてこれらの各部として機能してもよい。図３は、第１の実施例におけるプロジェクター１００のハードウェアブロック図である。例えば、無線通信部１１０は無線通信ユニット９１０等、記憶部１２０は、ＲＡＭ９２０、フラッシュＲＯＭ９２２等、有線通信部１３０は有線通信ユニット９３０等、制御部１５０はＣＰＵ９５０等、画像生成部１６０は画像処理回路９６０等、投写部１９０は、ランプ駆動回路９９０、ランプ９９１、照明光学系９９２、液晶駆動回路９９３、液晶ライトバルブ９９４、レンズ９９５等であってもよい。なお、レンズ９９５は、実際には、ズームレンズ、フォーカスレンズ、投写レンズ等の複数のレンズで構成されている。
【００２５】
次に、ＰＣ２００の機能ブロックについて説明する。図４は、第１の実施例におけるＰＣ２００の機能ブロック図である。ＰＣ２００は、供給側無線通信部である無線通信部２１０と、画像データ２２２、スキャンリストデータ２２４等を記憶する供給側記憶部である記憶部２２０と、ユーザーによる選択指示等を受け付ける受付部２４０と、供給側制御部である制御部２５０と、画像データ２２２等に基づいて画像を生成する供給側画像生成部である画像生成部２６０と、画像を表示する表示部２９０を含んで構成されている。なお、ＰＣ２００のハードウェアは、一般的なものであり、例えば、無線通信部２１０は無線通信ユニット等、記憶部２２０はＲＡＭ等、受付部２４０は、キーボード、マウス等、制御部２５０はＣＰＵ等、画像生成部２６０は画像処理回路等、表示部２９０は液晶ディスプレイ等であってもよい。
【００２６】
次に、ＰＣ２００とプロジェクター１００での接続の確立から画像を投写するまでの処理手順について説明する。図５は、第１の実施例におけるＰＣ２００とプロジェクター１００での処理手順を示すフローチャートである。ＰＣ２００の受付部２４０は、ユーザーの操作に応じて、接続対象となるプロジェクター１００の一覧を示す一覧画像の表示操作を受け付ける（ステップＳ１）。
【００２７】
制御部２５０は、当該表示操作に応じて、無線通信部２１０に、アクセスポイント３００を介してプロジェクター１００の通知要求情報をブロードキャスト送信させる（ステップＳ２）。なお、ＰＣ２００は、アクセスポイント３００のＳＳＩＤを用いてアクセスポイント３００と無線通信可能な状態になっている。
【００２８】
各プロジェクター１００の有線通信部１３０は、アクセスポイント３００を介して、有線でＰＣ２００からの通知要求情報を受信する（ステップＰ１）。制御部１５０は、通知要求情報が受信されると、無線通信部１１０に、識別データ１２４に基づく識別情報をブロードキャスト送信させる（ステップＰ２）。
【００２９】
なお、識別データ１２４は、ＳＳＩＤとして、プロジェクター１００ごとに異なる識別名が設定されているものとする。また、各プロジェクター１００が形成するインフラストラクチャーネットワークには乱数等で定められた第三者が知り得ない鍵情報が使用され、無線通信部１１０にはＰＣ２００を含めたすべての装置が接続できないように形成されている。
【００３０】
ＰＣ２００の無線通信部２１０は、各プロジェクター１００から送信される識別情報を受信し、制御部２５０は、当該識別情報に基づき、スキャンリストデータ２２４を更新する（ステップＳ３）。
【００３１】
図６は、第１の実施例におけるスキャンリストの一例を示す図である。例えば、スキャンリストデータ２２４では、プロジェクター１００−１の識別情報に含まれるＳＳＩＤが「projector01」、プロジェクター１００−２の識別情報に含まれるＳＳＩＤが「projector02」、プロジェクター１００−３の識別情報に含まれるＳＳＩＤが「projector03」であり、各識別情報の受信状況に応じて受信時の信号強度がＳＳＩＤと関連付けられて記憶される。また、あらかじめ、プロジェクター名とＩＰアドレスは通知要求情報に対して従来の方法で応答することによって取得することができるため、プロジェクター名とＳＳＩＤとが関連付けられてスキャンリストデータ２２４に記憶されているものとする。
【００３２】
画像生成部２６０は、画像データ２２２、スキャンリストデータ２２４に基づき、一覧画像を生成し、表示部２９０は、当該一覧画像を表示する（ステップＳ４）。図７は、第１の実施例における一覧画像４００の一例を示す図である。例えば、一覧画像４００は、プロジェクター１００ごとに、プロジェクター名、ＩＰアドレス、ＳＳＩＤ、信号強度を示す画像、「リストの更新」、「リストのクリアー」、「接続する」等の操作を受け付ける画像、「マルチディスプレイを使用する」等の表示方式を選択する画像等を含む。
【００３３】
受付部２４０は、ユーザーの接続対象の選択を受け付け、制御部２５０は、当該選択と、スキャンリストデータ２２４に基づき、アクセスポイント３００を介して接続要求情報を無線通信部２１０に送信させる（ステップＳ５）。例えば、図７に示す一覧画像４００では、信号強度の最も強い「プロジェクター０１」が選択されており、この状態で「接続する」が選択されることにより、プロジェクター１００−１に対応したＩＰアドレス「１９２．１６８．０．２」宛に接続要求情報が送信される。
【００３４】
なお、一覧画像４００で複数のプロジェクターが選択され、「マルチディスプレイを使用する」にチェックが入った状態で、「接続する」が選択されると、複数のプロジェクター１００に対して接続要求情報が送信されることにより、複数のプロジェクター１００で画像２０を投写することも可能である。
【００３５】
ステップＳ５で選択されたプロジェクター１００の有線通信部１３０は、アクセスポイント３００を介して、有線でＰＣ２００からの接続要求情報を受信し、ＰＣ２００との接続を確立する（ステップＰ３）。
【００３６】
ＰＣ２００の制御部２５０は、受付部２４０によってユーザーによる画像の投写要求が受け付けられると、画像データ２２２、スキャンリストデータ２２４に基づき、アクセスポイント３００を介して無線通信部２１０に、接続したプロジェクター１００へ向け画像情報を送信させる（ステップＳ６）。
【００３７】
ステップＳ５で選択されたプロジェクター１００の有線通信部１３０は、アクセスポイント３００を介して、有線でＰＣ２００からの画像情報を受信し、制御部１５０は、当該画像情報を画像情報１２２として記憶部１２０に記憶し、画像生成部１６０は、画像情報１２２に基づき、画像２０を生成し、投写部１９０は、当該画像２０をスクリーン１０に投写する（ステップＰ４）。
【００３８】
以上のように、本実施例によれば、プロジェクター１００は、プロジェクター１００の識別名を含む識別情報を送信することにより、ＰＣ２００に当該プロジェクター１００を識別しやすくさせることができる上、ＰＣ２００にプロジェクター１００ごとの識別情報の受信状況を把握させることができる。さらに、当該プロジェクター１００は、無線で直接ＰＣ２００と接続せず、アクセスポイント３００を介してＰＣ２００と接続することができる。これにより、ＰＣ２００は、複数のプロジェクター１００と、アクセスポイント３００とが有線で接続され、当該アクセスポイント３００と、ＰＣ２００とが無線で接続されたネットワークにおいて、当該ネットワークとの接続を維持しつつ、所望のプロジェクター１００にＰＣ２００からの画像情報に基づく画像を生成させる際に、より容易に所望のプロジェクター１００を決定することができる。
【００３９】
また、本実施例によれば、ユーザーは、一覧画像４００を参照することによってプロジェクター１００ごとの信号強度を把握できるため、多数のプロジェクター１００がネットワークに存在している状況であっても、ＰＣ２００に近接したプロジェクター１００を選択しやすく、近接したプロジェクター１００に画像２０を投写させやすくなる。
【００４０】
（第２の実施例）
第１の実施例では、プロジェクター１００は、ＰＣ２００からの要求に応じて識別情報を送信したが、起動時等の所定のイベント発生時または一定時間ごとに識別情報を送信してもよい。また、プロジェクター１００は、識別情報に自身のＩＰアドレスを含めて送信してもよい。
【００４１】
図８は、第２の実施例における画像生成システムの概略図である。３台のプロジェクター１０１は、ハブ３２０、ネットワークルーター３１０を介してアクセスポイント３００と有線（例えば、ＬＡＮケーブル等）で接続されている。画像生成システムは、無線通信用のアクセスポイント機能を有するプロジェクター１０１と、無線通信機能を有するＰＣ２００を含んで構成されている。
【００４２】
図９は、第２の実施例におけるプロジェクター１０１の機能ブロック図である。プロジェクター１０１は、第１の実施例のプロジェクター１００と同様の構成であるが、画像生成装置１０３に含まれる制御部１５１が、一定時間ごとにＩＰアドレスを含む識別情報を送信させる機能を有しており、記憶部１２１が、ＩＰアドレスを含む識別データ１２５を記憶している点で、プロジェクター１００と相違している。
【００４３】
次に、ＰＣ２００とプロジェクター１０１での接続の確立から画像を投写するまでの処理手順について説明する。図１０は、第２の実施例におけるＰＣ２００とプロジェクター１０１での処理手順を示すフローチャートである。
【００４４】
各プロジェクター１０１の制御部１５１は、識別データ１２５に基づき、有線通信部１３０に割り当てられたＩＰアドレスとプロジェクター１０１の識別名をＳＳＩＤとして示す識別情報を生成し、各プロジェクター１０１の無線通信部１１０は、制御部１５１からの制御に応じて、一定時間（例えば、１０秒等）ごとに当該識別情報を無線でブロードキャスト送信する（ステップＰ１１）。
【００４５】
ＰＣ２００の無線通信部２１０は、各プロジェクター１０１から送信される識別情報を受信し、制御部２５０は、当該識別情報に基づき、スキャンリストデータ２２４を更新する（ステップＳ１１）。受付部２４０は、ユーザーの操作に応じて、接続対象となるプロジェクター１０１の一覧を示す一覧画像の表示操作を受け付ける（ステップＳ１２）。画像生成部２６０は、画像データ２２２、スキャンリストデータ２２４に基づき、一覧画像を生成し、表示部２９０は、当該一覧画像を表示する（ステップＳ１３）。
【００４６】
図１１は、第２の実施例における一覧画像４０１の一例を示す図である。例えば、一覧画像４０１は、プロジェクター１０１ごとに、プロジェクター名、ＳＳＩＤ、信号強度を示す画像、「リストの更新」、「リストのクリアー」、「接続する」等の操作を受け付ける画像、「マルチディスプレイを使用する」等の表示方式を選択する画像等を含む。なお、このＳＳＩＤを示す画像では、「projector01」等の識別名に加え、「C0A80002」等のＩＰアドレスを１６進数で示す値が表示される。なお、ＩＰアドレスを１６進数で示すのは、ＳＳＩＤで使用可能な文字数の制限があるためである。
【００４７】
受付部２４０は、ユーザーの接続対象の選択を受け付け、制御部２５０は、当該選択と、スキャンリストデータ２２４に基づき、アクセスポイント３００を介して接続要求情報を無線通信部２１０に送信させる（ステップＳ１４）。
【００４８】
ステップＳ１４で選択されたプロジェクター１０１の有線通信部１３０は、アクセスポイント３００を介して、有線でＰＣ２００からの接続要求情報を受信し、ＰＣ２００との接続を確立する（ステップＰ１２）。
【００４９】
ＰＣ２００の制御部２５０は、受付部２４０によってユーザーによる画像の投写要求が受け付けられると、画像データ２２２、スキャンリストデータ２２４に基づき、アクセスポイント３００を介して無線通信部２１０に、接続したプロジェクター１０１へ向け画像情報を送信させる（ステップＳ１５）。
【００５０】
ステップＳ１４で選択されたプロジェクター１０１の有線通信部１３０は、アクセスポイント３００を介して、有線でＰＣ２００からの画像情報を受信し、制御部１５１は、当該画像情報を画像情報１２２として記憶部１２１に記憶し、画像生成部１６０は、画像情報１２２に基づき、画像２０を生成し、投写部１９０は、当該画像２０をスクリーン１０に投写する（ステップＰ１３）。
【００５１】
以上のように、本実施例によっても、プロジェクター１０１およびＰＣ２００は、第１の実施例と同様の作用効果を奏する。また、一般的に、ネットワークルーター３１０が介在していると、ＰＣ２００からのプロジェクター１０１の探索時のブロードキャストメッセージがネットワークルーター３１０によって遮断されてしまい、ＰＣ２００がプロジェクター１０１のＩＰアドレスを取得できないことがあるが、本実施例によれば、プロジェクター１０１は、ＩＰアドレスを含む識別情報を無線でブロードキャスト送信することにより、ＰＣ２００は、プロジェクター１０１のＩＰアドレスを取得できるため、各プロジェクター１０１に接続しやすくなる。
【００５２】
（第３の実施例）
ＰＣは、ユーザーの選択によらずに信号強度に応じて、接続対象のプロジェクター１００、１０１を自動的に決定してもよい。図１２は、第２の実施例におけるＰＣ２０１の機能ブロック図である。ＰＣ２０１は、第１の実施例のＰＣ２００と同様の構成であるが、接続対象を受け付ける受付部２４０を有しておらず、接続対象を決定する決定部２７０を有し、制御部２５１が決定部２７０による決定に応じて接続処理を実行する点で、ＰＣ２００と異なっている。なお、決定部２７０のハードウェアは、例えば、ＣＰＵ等であってもよい。
【００５３】
例えば、スキャンリストデータ２２４が、図６に示す状態であれば、決定部２７０は、信号強度が最も強いプロジェクター１００−１、１０１−１を接続対象として決定し、制御部２５１は、プロジェクター１００−１、１０１−１に対して接続要求を行うように無線通信部２１０を制御する。以下の手順は上述した実施例と同様であるため、説明を省略する。
【００５４】
以上のように、本実施例によっても、ＰＣ２０１は、上述した実施例と同様の作用効果を奏する。また、本実施例によれば、ＰＣ２０１は、ユーザーによるプロジェクター１００、１０１の選択が不要になるため、よりスムーズにＰＣ２０１に近接したプロジェクター１００、１０１に接続して画像２０を投写させることができる。
【００５５】
（その他の実施例）
なお、本発明の適用は上述した実施例に限定されず、変形が可能である。例えば、上述した実施例の構成を組み合わせてもよい。また、一覧画像４００、４０１は、上述した実施例に限定されない。例えば、一覧画像は、信号強度が最も強いプロジェクター１００、１０１のみを表示する画像、信号強度の強い順にプロジェクター１００、１０１を表示する画像、信号強度が最も強いプロジェクター１００、１０１の文字を拡大、点滅等によって強調して表示する画像等であってもよい。
【００５６】
また、識別情報は、上述した実施例に限定されず、例えば、制御部１５０、１５１は、プロジェクター１００、１０１の状態を含む識別情報を生成してもよい。これによれば、ＰＣ２００は、一覧画像として、待機中、接続中、遮断中等のプロジェクター１００、１０１の状態を示す画像を表示することができるため、ユーザーは、接続対象のプロジェクター１００、１０１をより選択しやすくなる。また、識別情報にＩＰアドレスの全体が含まれる必要はなく、例えば、末尾の８ビット分のＩＰアドレスのみが識別情報に含まれてもよい。
【００５７】
また、画像生成装置１０２、１０３が実装される装置は、プロジェクター１００、１０１に限定されず、例えば、プリンター、ネットワーク会議装置、ＰＣ等であってもよい。また、画像供給装置は、ＰＣ２００、２０１に限定されず、例えば、携帯電話、携帯情報端末、携帯型ゲーム装置等であってもよい。また、無線通信装置は、アクセスポイント３００に限定されず、例えば、無線通信機能を搭載したルーター等であってもよい。また、識別情報は、ＳＳＩＤを示す情報に限定されず、専用の識別情報等であってもよい。
【００５８】
また、プロジェクター１００、１０１およびＰＣ２００、２０１の有するコンピューターは、情報記憶媒体に記憶されたプログラムを読み取って制御部１５０、１５１、２５０、２５１等として機能してもよい。このような情報記憶媒体としては、例えば、ＣＤ−ＲＯＭ、ＤＶＤ−ＲＯＭ、ＲＯＭ、ＲＡＭ、ＨＤＤ等を適用できる。
【００５９】
また、プロジェクター１００、１０１は、液晶プロジェクター（透過型、ＬＣＯＳ等の反射型）に限定されず、例えば、デジタルマイクロミラーデバイスを用いたプロジェクター等であってもよい。また、投写部１９０は、ランプの代わりに有機ＥＬ素子、シリコン発光素子、レーザーダイオード、ＬＥＤ等の固体光源を含む自己発光素子を採用してもよい。また、プロジェクター１００、１０１の機能を複数の装置（例えば、画像生成装置１０２、１０３として機能するＰＣと、投写部１９０として機能するプロジェクター等）に分散してもよい。
【符号の説明】
【００６０】
１０  スクリーン、２０  画像、１００、１０１  プロジェクター、１０２、１０３  画像生成装置、１１０  無線通信部、１２０、１２１  記憶部、１２２  画像情報、１２４、１２５  識別データ、１３０  有線通信部、１５０、１５１  制御部、１６０  画像生成部、１９０  投写部、２００、２０１  ＰＣ、２１０  無線通信部、２２０  記憶部、２２２  画像データ、２２４  スキャンリストデータ、２４０  受付部、２５０、２５１  制御部、２６０  画像生成部、２７０  決定部、２９０  表示部、３００  アクセスポイント、３１０  ネットワークルーター、３２０  ハブ、９１０  無線通信ユニット、９２０  ＲＡＭ、９２２  フラッシュＲＯＭ、９３０  有線通信ユニット、９５０  ＣＰＵ、９６０  画像処理回路、９９０  ランプ駆動回路、９９１  ランプ、９９２  照明光学系、９９３  液晶駆動回路、９９４  液晶ライトバルブ、９９５  レンズ
【図１】
2012191411.tif 000003
【図２】
2012191411.tif 000004
【図３】
2012191411.tif 000005
【図４】
2012191411.tif 000006
【図５】
2012191411.tif 000007
【図６】
2012191411.tif 000008
【図７】
2012191411.tif 000009
【図８】
2012191411.tif 000010
【図９】
2012191411.tif 000011
【図１０】
2012191411.tif 000012
【図１１】
2012191411.tif 000013
【図１２】
2012191411.tif 000014